(57)【特許請求の範囲】
【請求項１】
チェーンブロック（１）本体のハウジング（２）下方に固設した板状鎖ガイド（１１）と、
チェーンブロック本体下方に設けた、リミットスイッチを作動する回転軸（６）と、
前記板状鎖ガイドを挟んで前記回転軸に固設した一対の側板（８，８）と、
前記側板の一端上部で、下フック（４）のストッパ（１３）が当接可能な位置に跨設した巻き上げ検知用作動板（９）と、
前記側板の他端下部で、無負荷側チェーン端部に設けたストッパが当接可能な位置に、互いに内側に向けて突設した巻下げ検知用作動板（１０，１０）とを
備えたことを特徴とするチェーンブロック用リミットスイッチ作動装置。
【請求項２】
前記板状鎖ガイド（１１）に、巻き上げ検知用作動板（９）が退避可能な凹溝（１１ｂ）を形成したことを特徴とする請求項１記載のチェーンブロック用リミットスイッチ作動装置。
【発明の詳細な説明】
【０００１】
【発明の属する技術分野】
本発明は、チェーンブロックの上下限動を検知するリミットスイッチ作動装置に関するものである。
【０００２】
【従来の技術】
従来電動チェーンブロック等において用いられる過巻き防止用リミットスイッチは、例えば図４に示すように、電動チェーンブロック２１の過巻き防止用リミットスイッチを操作する操作軸２３に、リミットレバー２４の中間部を固定し、そのリミットレバー２４の両側に取付けられたチェーンガイド孔を有する筒状のチェーンガイド部材２６，２７の下部に、円環状の外周溝２８を設け、円筒状の小径コイルばね２９の上端に、上方に向かって拡径するテーパーコイルばね３０を介して大径コイルばね３１を連設して、操作用コイルばね３２を設け、電動チェーンブロック２１を巻上げ運転して、その巻上げ運転が限界に達すると、荷物支持用フック４４またはその上部においてチェーン４８に取付けられたストッパ４７が操作用コイルばね３２の下端部に当接し、操作用コイルばね３２を介してリミットレバー２４を回動させ、操作軸２３およびスイッチ操作部材を介して、過巻き防止用リミットスイッチを作動し、電動チェーンブロック２１の巻上げ運転を停止するように構成されている。一方、電動チェーンブロック２１を巻下し運転して、その巻下し運転が限界に達すると、チェーン４８の無負荷側端部に取付けられたストッパ４９が操作用コイルばね３２の下端部に接し、操作用コイルばね３２を介してリミットレバー２４を回動させ、操作軸２３およびスイッチ操作部材を介して、過巻き防止用リミットスイッチを作動し、電動チェーンブロック２１の巻下し運転を停止するように構成されている。また、チェンガイド２７の前後両側には係合突起３６が設けられ、リミットレバー２４の係合孔４６に挿入されている。なお、図中、４３はロードシーブである。
【０００３】
【発明が解決しようとする課題】
上記した従来の過巻き防止用リミットスイッチ装置は、操作用コイルバネ、大径コイルバネ、チェーンガイド部材、およびその外周に設けた外周溝、係合突起、係合孔、リミットレバー、操作軸等から構成され、部品点数、部品加工工数も多くコスト高となり、また、コイルバネを用いるためデットスペースも大きくなり、かつ操作時には、コイルバネをチェーンガイドに正確にガイドしないと、リミットレバーが誤作動し、また、リミットスイッチの作動角度にも悪影響を及ぼし、リミットスイッチを正確に作動するのに支障を及ぼすという問題を有していた。
【０００４】
【課題を解決するための手段】
本発明は上記した課題を解決するもので、チェーンブロック本体下方に、リミットスイッチを作動する回転軸に板状ガイドを挾んで固設した一対の側板と、側板の一端上部に跨設された巻上げ検知用作動板と、他端下部に互いに内側に向けて突設した巻下げ検知用作動板を備えた作動体を設け、検知用作動板によりチェーンブロックの上下限リミットスイッチを作動することを特徴とするチェーンブロック用リミットスイッチ作動装置である。
【０００５】
本発明によると、チェーンブロック本体下方に設けられた板状鎖ガイドを挾んで設けた一対の側板と、側板の一端上部に跨設された巻上げ検知用作動板と、他端下部に互いに内側に向けて突設した巻下げ検知用作動板から形成される作動体により、チェーンブロックの上下動の上下限を検知し、リミットスイッチによりモータの作動を停止するように構成したので、従来装置のリミットスイッチ装置に比して、部品点数および部品加工を大幅に減少するとともに、単純な検知動作によりチェーンブロックの上下限を検知することができるので、正確にリミットスイッチを作動することができる。
【０００６】
【発明の実施の形態】
本発明の請求項１に記載の発明は、チェーンブロック（１）本体のハウジング（２）下方に固設した板状鎖ガイド（１１）と、
チェーンブロック本体下方に設けた、リミットスイッチを作動する回転軸（６）と、
前記板状鎖ガイドを挟んで前記回転軸に固設した一対の側板（８，８）と、
前記側板の一端上部で、下フック（４）のストッパ（１３）が当接可能な位置に跨設した巻き上げ検知用作動板（９）と、
前記側板の他端下部で、無負荷側チェーン端部に設けたストッパが当接可能な位置に、互いに内側に向けて突設した巻下げ検知用作動板（１０，１０）とを
備えたことを特徴とするチェーンブロック用リミットスイッチ作動装置であり、チェーンブロック本体下方に設けられた板状鎖ガイドを挾んで設けた一対の側板と、側板の一端上部に跨設された巻上げ検知用作動板と、他端下部に互いに内側に向けて突設した巻下げ検知用作動板から形成される作動体により、チェーンブロックの上下動の上下限を検知し、リミットスイッチによりモータの作動を停止するように構成したので、従来装置のリミットスイッチ装置に比して、部品点数および部品加工を大幅に減少しコスト減を可能とするとともに、単純な検知動作によりチェーンブロックの上下限を検知することができるので、正確にリミットスイッチを作動することができる作用を有する。
【０００８】
請求項２に記載の発明は、前記板状鎖ガイド（１１）に、巻き上げ検知用作動板（９）が退避可能な凹溝（１１ｂ）を形成したことを特徴とする請求項１記載のチェーンブロック用リミットスイッチ作動装置であり、請求項１に記載の発明が有する作用に加えて、リミットスイッチ作動装置によるデッドスペースを大幅に減少できる作用を有する。
【０００９】
【実施の形態】
図１〜図３を参照して、本発明の実施の形態によるチェーンブロック用上下限リミットスイッチ作動装置について説明する。
【００１０】
図において、１はチェーンブロック、２はハウジング、３はハウジング２から下方に延びるチェーン、４はチェーン３の下端に取付けられた下フック、５はハウジング２の下方に設けられた作動体支持ブロック、６はリミットスイッチ（図示せず）を作動する回転軸、６ａはその軸端部、７はリミットスイッチ作動体、８は作動体を構成し、支持ブロック５に設けられた回転軸６に、チェーンガイドを挾んで固設した一対の側板、９は側板８の一端上部に跨設された巻上げ検知用作動板、１０は側板８の他端下部に互いに内側に向けて設けられた巻下げ検知用作動板、１１はハウジングの下部に設けられ、負荷側および無負荷側チェーンのガイド孔を有する板状の鎖ガイド、１１ａはガイド孔、１１ｂはガイド下部に設けられた作動板退避用凹溝、１２はハウジング２に設けられたロードシーブ、１３はストッパである。なお、巻上げ検知用作動板９は、下フック頂部のストッパ１３が当接可能位置に、巻下げ検知用作動板１０は、無負荷側チェーン端部に設けたストッパが当接可能な位置にそれぞれ配設されている。
【００１１】
次に、本発明によるリミットスイッチ作動板の動作について説明する。
巻上げ検知用作動板９は、下フックのストッパ１３が当接可能位置に、巻下げ検知用作動板１０は、無負荷側端部に設けたストッパが当接可能な位置にそれぞれ配設されており、巻上げ検知用作動板９は、常時はチェーンの側面に当接し、図２の点線位置に位置している。次に、チェーン３の巻上げが行われ、下フック４のストッパ１３が作動板９に当接すると、作動板９は回動し、回動軸６を介してリミットスイッチ（図示せず）が作動し、モータの駆動が停止される。この時ストッパ１３の上面は板状鎖ガイド１１の下面に当接し、作動板９は鎖ガイド１１に設けた凹溝１１ｂに退避する。
【００１２】
巻下げ動作時は、巻下げ動作により無負荷側チェーンが巻上げられると、無負荷側チェーン（図示せず）端部に設けたストッパ（図示せず）が巻下げ検知用作動板１０に当接し、作動体７を回動し、回転軸６を介して、リミットスイッチ（図示せず）が作動し、モータの駆動が停止される。この時作動板１０は板状鎖ガイド１１の下面に当接して停止される。
【００１３】
以上説明したように、本発明は、チェーンブロック本体下方に設けられた板状鎖ガイドを挾んで設けた一対の側板と、側板の一端上部に跨設された巻上げ検知用作動板と、他端下部に互いに内側に向けて突設した巻下げ検知用作動板から形成される作動体により、チェーンブロックの上下動の上限下限を検知し、リミットスイッチによりモータの作動を停止するように構成したので、従来装置のリミットスイッチ装置に比して、部品点数および部品加工を大幅に減少するとともに、単純な検知動作によりチェーンブロックの上限下限を検知することができるので、正確にリミットスイッチを作動することができる。
【００１４】
【発明の効果】
本発明は、チェーンブロック本体下方に設けられた板状鎖ガイドを挾んで設けた一対の側板と、側板の一端上部に跨設された巻上げ検知用作動板と、他端下部に互いに内側に向けて突設した巻下げ検知用作動板から形成される作動体により、チェーンブロックの上下動の上限下限を検知し、リミットスイッチによりモータの作動を停止するように構成したので、従来装置のリミットスイッチ装置に比して、部品点数および部品加工を大幅に減少しコスト減を可能とするとともに、単純な検知動作によりチェーンブロックの上限下限を検知することができるので、正確にリミットスイッチを作動することができる効果を有する。
【図面の簡単な説明】
【図１】本発明のリミットスイッチ作動装置の概要を示す側面図である。
【図２】図１の部分拡大図である。
【図３】図１の作動体、鎖ガイドを示す拡大平面図である。
【図４】従来のリミットスイッチ作動装置を示す断面図である。
【符号の説明】
１  チェーンブロック
２  ハウジング
３  チェーン
４  下フック
５  支持ブロック
６  回転軸
６ａ  軸端部
７  作動体
８  側板
９  巻上げ検知用作動板
１０  巻下げ検知用作動板
１１  鎖ガイド
１１ａ  ガイド孔
１１ｂ  凹溝
１２  ロードシーブ
１３  ストッパ
【図１】
0003628561.tif 000002
【図２】
0003628561.tif 000003
【図３】
0003628561.tif 000004
【図４】
0003628561.tif 000005